【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
放射線撮影装置により動画撮影を行う動画撮影制御手段と、
前記動画撮影の実行中に、前記動画撮影の撮影レートに応じたフレーム期間のｎ倍（ｎは整数）の期間だけ前記動画撮影を中断し、その中断期間中に前記放射線撮影装置により前記動画撮影よりも高い解像度の静止画撮影を行う静止画撮影制御手段と、
前記動画撮影制御手段で得られた動画像と前記静止画撮影制御手段で得られた静止画像を保持する保持手段と、
前記静止画像から、縦横の画素数が前記動画像のフレーム画像と同じになるようにサイズ調整された画像を生成する処理手段と、
前記処理手段で生成された前記サイズ調整された画像を、前記動画像中の前記中断期間に対応するｎ枚の動画フレームとして用いることにより、前記サイズ調整された画像を前記動画像に統合する統合手段と、
前記統合手段で統合された前記動画像を再生表示する動画表示手段とを備えることを特徴とする放射線画像処理装置。
【請求項２】
前記処理手段は、前記静止画像の一部を切り出すことにより前記サイズ調整された画像を生成することを特徴とする請求項１に記載の放射線画像処理装置。
【請求項３】
前記処理手段は、前記静止画像の中央部分を切り出すことを特徴とする請求項２に記載の放射線画像処理装置。
【請求項４】
前記処理手段は、前記静止画像の解像度を下げることにより前記サイズ調整された画像を生成することを特徴とする請求項１に記載の放射線画像処理装置。
【請求項５】
前記処理手段は、前記動画像のコントラストに合わせるべく、前記サイズ調整された画像におけるコントラストを調整する手段を有することを特徴とする請求項１乃至４のいずれか１項に記載の放射線画像処理装置。
【請求項６】
前記処理手段は、前記動画像と同等のノイズを前記サイズ調整された画像に付与する手段を有することを特徴とする請求項１乃至５のいずれか１項に記載の放射線画像処理装置。
【請求項７】
前記統合手段は、前記動画撮影により得られた動画像のフレーム画像と、前記処理手段により生成された前記サイズ調整された画像とを区別するためのマーク表示を統合された動画像の各フレーム画像に付与することを特徴とする請求項１乃至６のいずれか１項に記載の放射線画像処理装置。
【請求項８】
前記静止画像を表示するとともに、当該静止画像の前後に撮影された前記動画像のフレーム画像を表示する静止画像表示手段を更に備えることを特徴とする請求項１乃至７のいずれか１項に記載の放射線画像処理装置。
【請求項９】
動画撮影制御手段が、放射線撮影装置により動画撮影を行う動画撮影制御工程と、
静止画撮影制御手段が、前記動画撮影の実行中に、前記動画撮影の撮影レートに応じたフレーム期間のｎ倍（ｎは整数）の期間だけ前記動画撮影を中断し、その中断期間中に前記放射線撮影装置により前記動画撮影よりも高い解像度の静止画撮影を行う静止画撮影制御工程と、
保持手段が、前記動画撮影制御工程で得られた動画像と前記静止画撮影制御工程で得られた静止画像を保持する保持工程と、
処理手段が、前記静止画像から、縦横の画素数が前記動画像のフレーム画像と同じになるようにサイズ調整された画像を生成する処理工程と、
統合手段が、前記処理工程で生成された前記サイズ調整された画像を、前記動画像中の前記中断期間に対応するｎ枚の動画フレームとして用いることにより、前記サイズ調整された画像を前記動画像に統合する統合工程と、
動画表示手段が、前記統合工程で統合された前記動画像を再生表示する動画表示工程とを有することを特徴とする放射線画像処理方法。
【請求項１０】
前記処理工程は、前記静止画像の一部を切り出すことにより前記サイズ調整された画像を生成することを特徴とする請求項９に記載の放射線画像処理方法。
【請求項１１】
前記処理工程は、前記静止画像の中央部分を切り出すことを特徴とする請求項１０に記載の放射線画像処理方法。
【請求項１２】
前記処理工程は、前記静止画像の解像度を下げることにより前記サイズ調整された画像を生成することを特徴とする請求項９に記載の放射線画像処理方法。
【請求項１３】
前記処理工程は、前記動画像のコントラストに合わせるべく、前記サイズ調整された画像におけるコントラストを調整する工程を有することを特徴とする請求項９乃至１２のいずれか１項に記載の放射線画像処理方法。
【請求項１４】
前記処理工程は、前記動画像と同等のノイズを前記サイズ調整された画像に付与する工程を有することを特徴とする請求項９乃至１３のいずれか１項に記載の放射線画像処理方法。
【請求項１５】
前記統合工程は、前記動画撮影により得られた動画像のフレーム画像と、前記処理工程で生成された前記サイズ調整された画像とを区別するためのマーク表示を統合された動画像の各フレーム画像に付与することを特徴とする請求項９乃至１４のいずれか１項に記載の放射線画像処理方法。
【請求項１６】
静止画像表示手段が、前記静止画像を表示するとともに、当該静止画像の前後に撮影された前記動画像のフレーム画像を表示する静止画像表示工程を更に備えることを特徴とする請求項９乃至１５のいずれか１項に記載の放射線画像処理方法。
【請求項１７】
請求項９乃至１６のいずれか１項に記載の方法の各工程をコンピュータに実行させるためのコンピュータプログラム。
【請求項１８】
請求項９乃至１６のいずれか１項に記載の方法の各工程をコンピュータに実行させるためのコンピュータプログラムを格納したコンピュータ読み取り可能な記録媒体。
【手続補正２】
【補正対象書類名】明細書
【補正対象項目名】０００６
【補正方法】変更
【補正の内容】
【０００６】
上記の目的を達成するための本発明による放射線画像撮影装置は以下の構成を備える。即ち、
放射線撮影装置により動画撮影を行う動画撮影制御手段と、
前記動画撮影の実行中に、前記動画撮影の撮影レートに応じたフレーム期間のｎ倍（ｎは整数）の期間だけ前記動画撮影を中断し、その中断期間中に前記放射線撮影装置により前記動画撮影よりも高い解像度の静止画撮影を行う静止画撮影制御手段と、
前記動画撮影制御手段で得られた動画像と前記静止画撮影制御手段で得られた静止画像を保持する保持手段と、
前記静止画像から、縦横の画素数が前記動画像のフレーム画像と同じになるようにサイズ調整された画像を生成する処理手段と、
前記処理手段で生成された前記サイズ調整された画像を、前記動画像中の前記中断期間に対応するｎ枚の動画フレームとして用いることにより、前記サイズ調整された画像を前記動画像に統合する統合手段と、
前記統合手段で統合された前記動画像を再生表示する動画表示手段とを備える。
【手続補正３】
【補正対象書類名】明細書
【補正対象項目名】０００７
【補正方法】変更
【補正の内容】
【０００７】
上記の目的を達成するための本発明による放射線画像撮影方法は、
動画撮影制御手段が、放射線撮影装置により動画撮影を行う動画撮影制御工程と、
静止画撮影制御手段が、前記動画撮影の実行中に、前記動画撮影の撮影レートに応じたフレーム期間のｎ倍（ｎは整数）の期間だけ前記動画撮影を中断し、その中断期間中に前記放射線撮影装置により前記動画撮影よりも高い解像度の静止画撮影を行う静止画撮影制御工程と、
保持手段が、前記動画撮影制御工程で得られた動画像と前記静止画撮影制御工程で得られた静止画像を保持する保持工程と、
処理手段が、前記静止画像から、縦横の画素数が前記動画像のフレーム画像と同じになるようにサイズ調整された画像を生成する処理工程と、
統合手段が、前記処理工程で生成された前記サイズ調整された画像を、前記動画像中の前記中断期間に対応するｎ枚の動画フレームとして用いることにより、前記サイズ調整された画像を前記動画像に統合する統合工程と、
動画表示手段が、前記統合工程で統合された前記動画像を再生表示する動画表示工程とを有する。